(57)【要約】      （修正有）【課題】乳児を楽な姿勢で抱っこしたり、おんぶしたりすることができ、状況に応じて流動的に使用モードを変更できるヒップシートキャリアセットを提供する。【解決手段】ヒップシートキャリアセットは、着用者が乳児を抱っこするとき、乳児の身体を支持できる第１支持部材１１０と着用者の肩に堅着される肩ベルト１３０を含むベビーキャリア１００と、ベビーキャリア１００に分離可能に結合され、着用者の腰を巻いたまま固定される腰ベルト２２０、２３０を含み、乳児のお尻が安着するヒップシート２００と、ベビーキャリア１００に分離可能に結合され、乳児の身体を支えることができる第２支持部材３１０と、第２支持部材３１０の下側に連結され、乳児のお尻を支えるように着用者の身体を巻いて着用される骨盤ベルト３３０を含むベビーラップ３００を備え、使用モードによってヒップシート２００又はベビーラップ３００がベビーキャリア１００に結合されている状態で着用者の身体に着用されて乳児を支持する。【選択図】図１
0003210531.tif 000002
【実用新案登録請求の範囲】
【請求項１】
着用者が乳児を抱っこするとき、乳児の身体を支持できる第１支持部材と着用者の肩に堅着される肩ベルトを含むベビーキャリアと、
前記ベビーキャリアに分離可能に結合され、着用者の腰を巻いたまま固定される腰ベルトを含み、乳児のお尻が安着するヒップシートと、
前記ベビーキャリアに分離可能に結合され、乳児の身体を支えることができる第２支持部材と前記第２支持部材の下側に連結され、乳児のお尻を支えるように着用者の身体を巻いて着用される骨盤ベルトを含むベビーラップを備え、
使用モードによって前記ヒップシート又は前記ベビーラップが前記ベビーキャリアに結合されている状態で着用者の身体に着用されて乳児を支持するヒップシートキャリアセット。
【請求項２】
前記抱っこ紐と前記ベビーラップが分離可能に結合されるとき、前記第２支持部材が第１支持部材と重なることを特徴とする請求項１に記載のヒップシートキャリアセット。
【請求項３】
前記ベビーラップは、乳児の脚が開かれることができるように前記第１支持部材の下部幅及び前記ヒップシートの幅よりも更に広い下部幅を有する翼部を更に含むことを特徴とする請求項１に記載のヒップシートキャリアセット。
【請求項４】
前記ベビーキャリアは、
上側で前記ベビーラップと結合される上側結合部と、
下側で前記ヒップシート又は前記ベビーラップと結合される下側結合部と
を含むことを特徴とする請求項１に記載のヒップシートキャリアセット。
【請求項５】
前記上側結合部は、前記ベビーラップとジッパにより結合され、
前記下側結合部は、前記ベビーラップ又は前記ヒップシートとジッパにより結合されることを特徴とする請求項４に記載のヒップシートキャリアセット。
【請求項６】
前記ベビーキャリアは、前記ベビーラップと締結される補助締結部を更に含むことを特徴とする請求項４に記載のヒップシートキャリアセット。
【請求項７】
前記補助締結部は、ボタンで構成されたことを特徴とする請求項６に記載のヒップシートキャリアセット。
【請求項８】
前記下側結合部は、前記ヒップシート又は前記ベビーラップと前記ベビーキャリアを連結する締結ベルトを更に含み、
前記ヒップシート及び前記ベビーラップは、前記締結ベルトに対応する位置に前記締結ベルトが挿入されて連結される締結リングを含むことを特徴とする請求項４に記載のヒップシートキャリアセット。
【請求項９】
前記締結ベルトには、ベルクロが提供されることを特徴とする請求項８に記載のヒップシートキャリアセット。
【請求項１０】
前記ヒップシートは、乳児のお尻が安着するシート部材を更に含み、
前記腰ベルトは前記シート部材の両側に延びるように提供されることを特徴とする請求項１に記載のヒップシートキャリアセット。
【考案の詳細な説明】
【技術分野】
【０００１】
本考案はヒップシートキャリアセットに関し、より詳しくは、乳児を楽な姿勢で抱っこしたり、おんぶしたりすることができ、状況に応じて流動的に使用モードを変更できるヒップシートキャリアセットに関する。
【背景技術】
【０００２】
一般に、ベビーラップは１００日目を前後に未だあんよができない初誕生日以前の乳児の外出時に、便利さと安全のために、乳児を使用者の胸に抱っこしたり、背中におんぶして歩行するのに適するようになっている。
【０００３】
従来の一般のベビーラップの場合、乳児の体重が肩ベルトを通じて保護者の肩に大半が伝わるのはもちろんであり、乳児を抱っこしたり、おんぶする姿勢によって保護者がバランスを維持するために上体を反らせたり、曲げることによって、結果として、保護者の脊椎に無理な力が加わるという問題があっただけでなく、その着用が非常に不便であるという問題があった。
【０００４】
このような従来のベビーラップの問題を改善するために、乳児の体重が保護者の腰及び骨盤に伝わるようにし、簡単に子供を抱っこしたり、下ろすことができるようにした乳児用キャリアとして、別名「ヒップシート」が提案されたことがあり、このようなヒップシートは、一般に乳児が座れるように支持体を内蔵したシート部の両側に結束手段を有する腰バンドを形成して保護者の腰に着用するように構成された。しかしながら、このような従来のヒップシートの場合、乳児の安全のために保護者が乳児の背中やお腹を片腕で包むように抱かなければならないので、保護者が両腕を自由に使えないという問題があり、特に外出先で使用するにおいて、乳児が眠っている場合には、乳児を任意の場所に下ろせないので、保護者の行動が更に不自由になるという問題があった。このような問題を解決するために、ベビーラップの下端にヒップシートが締結される製品が提案されたことがある。
【０００５】
しかしながら、前記のようなベビーラップとヒップシートが締結される製品を用いて乳児を抱っこする場合、乳児の成長に伴い、体重が増えることによって、ある程度成長した乳児を抱っこするとき、着用者の肩に過度な荷重がかかるという問題がある。
【０００６】
また、着用者の体力及び好む姿勢、乳児の体格、使用目的、使用環境などの状況に応じて乳児の姿勢及び着用者が着用した状態など使用モードを変更する必要があるが、従来の場合、使用モードが単一であるので、状況に応じて流動的でないという短所がある。
【考案の概要】
【考案が解決しようとする課題】
【０００７】
本考案は上記事情に鑑みてなされたものであって、その目的は、乳児の成長に伴い、体重が増えても着用者の肩に過度な荷重を加えられないヒップシートキャリアセットを提供することにある。
【０００８】
また、他の目的は、着用者の体力及び好む姿勢、乳児の体格、使用目的、使用環境など状況に応じて使用モードを変化させることができるヒップシートキャリアセットを提供することにある。
【課題を解決するための手段】
【０００９】
前記課題を解決するために、本考案のヒップシートキャリアセットは、着用者が乳児を抱っこするとき、乳児の身体を支持できる第１支持部材と着用者が前記ベビーキャリアを着用するとき、着用者の肩に堅着される肩ベルトを含むベビーキャリアと、前記ベビーキャリアに分離可能に結合され、着用者の腰を巻いたまま固定される腰ベルトを含み、乳児のお尻が安着するヒップシートと、前記ベビーキャリアに分離可能に結合され、乳児の身体を支えることができる第２支持部材と前記第２支持部材の下側に連結され、乳児のお尻を支えるように着用者の身体を巻いて着用される骨盤ベルトを含むベビーラップを備え、使用モードによって前記ヒップシート又は前記ベビーラップが前記ベビーキャリアに結合されている状態で着用者の身体に着用されて乳児を支持することを特徴とする。
【考案の効果】
【００１０】
本考案の実施形態によれば、乳児の体重によってヒップシートとベビーラップを選択的にベビーキャリアに結合させて使用できるので、乳児が成長しても着用者の肩に過度な荷重がかかるのを抑止できるという効果を奏する。
【００１１】
また、ベビーキャリアにヒップシートとベビーラップを選択的に着脱可能であるので、着用者の体力及び好む姿勢、乳児の体格、使用目的、使用環境などの状況に応じて使用モードを変化させることができるという長所がある。
【００１２】
更に、乳児の姿勢を状況に応じて変更できるので、乳児を抱っこしたり、おんぶしたとき、乳児と着用者が共に安楽感を感じることができるという効果がある。
【図面の簡単な説明】
【００１３】
【図１】本考案の一実施形態によるヒップシートキャリアセットの構成品を示す図である。
【図２】図１のベビーキャリアとヒップシートが結合されている状態を示す図である。
【図３】図１のベビーキャリアとヒップシートが分離された様子を示す図である。
【図４】図１のベビーキャリアとベビーラップが結合されている状態を示す図である。
【図５】図１のベビーキャリアとベビーラップが分離された様子を示す図である。
【考案を実施するための形態】
【００１４】
以下、本考案を実現するための具体的な実施形態について図面を参照して詳細に説明する。なお、本考案を説明するにおいて、関連する公知の構成又は機能についての具体的な説明が本考案の要旨を曖昧にするおそれがあると判断される場合には、その詳細な説明を省略する。
【００１５】
図１は、本考案の一実施形態によるヒップシートキャリアセットの構成品を示す図である。
【００１６】
図１を参照すれば、本考案の一実施形態によるヒップシートキャリアセットは、着用者が乳児を抱っこしたり、おんぶしたとき、乳児の身体を支持するベビーキャリア１００、ベビーキャリア１００に結合され、乳児のお尻を支えるヒップシート２００及びベビーキャリア１００に結合され、乳児の身体を覆うベビーラップ３００を含む。ベビーキャリア１００、ヒップシート２００及びベビーラップ３００は、表面が布などの柔らかい材質で形成され、乳児と着用者が着用したとき、不便さを与えないように構成され得る。ベビーキャリア１００は、ヒップシート２００又はベビーラップ３００に選択的に結合され得、どの部分に結合されるかによって使用モードが変わり得る。
【００１７】
以下では、使用モード別に構成品の結合関係及び具体的な構成について説明する。
【００１８】
図２は、図１のベビーキャリアヒップシートが結合されている状態を示す図であり、図３は、図１のベビーキャリアとヒップシートが分離された様子を示す図である。
【００１９】
図２及び図３を参照すれば、ベビーキャリア１００は、乳児の身体を支える第１支持部材１１０、着用者の肩に堅着される肩ベルト１３０、ベビーラップ３００に締結される上側結合部１２０及びヒップシート２００又はベビーラップ３００に締結される下側結合部１４０を含むことができる。
【００２０】
第１支持部材１１０は、乳児の背中が当接する部位はクッション性のある材質で構成され得る。第１支持部材１１０の上側には、上側結合部１２０が提供され得、上側結合部１２０は、ベビーラップ３００の上側結合部（図５、３２０）と締結されるためのジッパ部を構成するジッパテープ１２２を含むことができる。本実施形態では、上側結合部１２０とベビーラップ３００の上側結合部３２０がジッパによって互いに締結される場合を例に挙げて説明するが、本考案はこれに限定されるものではなく、ベビーキャリア１００の上側結合部１２０とベビーラップ３００の上側結合部３２０は、ジッパ以外の他の締結手段、例えば、ボタン方式により締結されることも可能である。
【００２１】
第１支持部材１１０の後面には、小型の乳児用品などを保管できるポケット１１２が形成され得る。
【００２２】
肩ベルト１３０は、第１支持部材１１０の両側に連結され、着用者の肩に堅着されて乳児の荷重を着用者の肩に伝達する機能をする。また、肩ベルト１３０には、補助締結部１３２が提供され得る。補助締結部１３２は、ベビーキャリア１００とベビーラップ３００が互いに結合されるとき、例えばボタン方式によりベビーキャリア１００とベビーラップ３００が着用者の肩部位で互いに離間しないように連結させる機能をする。また、補助締結部１３２は、肩ベルト１３０が第１支持部材１１０と連結される部分に提供され得る。
【００２３】
一方、肩ベルト１３０は肩紐１３４を含むことができ、肩紐１３４により肩ベルト１３０と第１支持部材１１０の枠の一部が閉曲線を形成して着用者の肩に支持されるように構成され得る。肩紐１３４は、長さ調節部１３６により長さが調節され得る。
【００２４】
下側結合部１４０は、ベビーキャリア１００がヒップシート２００と締結されるためのジッパ部を構成するジッパテープ１４２を含むことができる。本実施形態では、下側結合部１４０とヒップシート２００がジッパによって互いに締結される場合を例に挙げて説明するが、本考案はこれに限定されるものではなく、ベビーキャリア１００の下側結合部１４０とヒップシート２００は、ジッパ以外の他の締結手段、例えば、ボタン方式により締結されることも可能である。また、下側結合部１４０は、ヒップシート２００と結合されるとき、補助的にベビーキャリア１００とヒップシート２００を連結する締結ベルト１４４を含むことができる。締結ベルト１４４はベルクロを含むことができ、折り畳まれているとき、ベルクロにより折り畳まれた状態を維持するように構成され得る。
【００２５】
一方、ヒップシート２００は、乳児のお尻が安着するシート部材２１０及びシート部材２１０の両側に延びる腰ベルト２２０、２３０を含むことができる。シート部材２１０は、乳児のお尻が安着したとき、クッション性のある座り心地を提供できる部材を内部に含むことができる。シート部材２１０の上部には、ベビーキャリア１００の下側結合部１４０のジッパテープ１４２と締結されるジッパテープ２１２が提供され得、ベビーキャリア１００の締結ベルト１４４が通過する締結リング２１４が提供され得る。
【００２６】
腰ベルト２２０、２３０は、シート部材２１０の右側から延在形成される右側腰ベルト２２０とシート部材２１０の左側から延在形成される左側腰ベルト２３０とを含む。腰ベルト２２０、２３０は、着用者の腰に着用され、ヒップシート２００が着用者に対して安定的に支持され得る。また、左側腰ベルト２３０に連結されて着用者の腰に腰ベルト２２０、２３０を密着させる腰紐２３１が提供され得、腰紐２３１の端部に連結バックル２３２が提供され、右側腰ベルト２２０側に締結バックル２２２が提供されて連結バックル２３２と締結バックル２２２が互いに締結されることによって、左側腰ベルト２３０と右側腰ベルト２２０が互いに結束され得る。また、腰紐２３１の長さを調節できる長さ調節部が提供されて着用者が任意に腰紐２３１の長さを調節することで、着用者の腰に腰ベルト２２０、２３０を密着させることができる。
【００２７】
本実施形態では、左側腰ベルト２３０に腰紐２３１が連結される場合を例に挙げて説明するが、本考案はこれに限定されるものではなく、腰紐２３１が右側腰ベルト２２０に提供されることも可能であり、腰紐２３１が含まれず、左側腰ベルト２３０と右側腰ベルト２２０が互いにベルクロなどにより接着されるように提供されることも可能である。
【００２８】
前述したように、ベビーキャリア１００とヒップシート２００が結合されている状態で用いられる場合、乳児が座った姿勢で着用者に抱かれることができる。
【００２９】
一方、ヒップシート２００が不要な状態で着用者が乳児を単に抱っこする必要のみある場合には、ヒップシート２００をベビーキャリア１００から分離させた後に、ベビーキャリア１００にベビーラップ３００を結合させて乳児を楽な姿勢で抱っこすることができる。
【００３０】
以下、ベビーキャリア１００とベビーラップ３００が結合されている具体的な構成について図４及び図５を参照して説明する。
【００３１】
図４は、図１のベビーキャリアとベビーラップが結合されている状態を示す図であり、図５は、図１のベビーキャリアとベビーラップが分離された様子を示す図である。
【００３２】
図４及び図５を参照すれば、ベビーキャリア１００は、ベビーラップ３００と締結されて着用者が乳児を容易に抱っこすることができるように構成され得る。
【００３３】
具体的に、ベビーラップ３００は、ベビーキャリア１００と結合されているとき、乳児の身体を支持する第２支持部材３１０、ベビーキャリア１００の上側結合部１２０と締結される上側結合部３２０及び第２支持部材３１０の下側に連結され、着用者の身体を巻いて着用される骨盤ベルト３３０を含むことができる。また、第２支持部材３１０の一面には、ベビーキャリア１００の下側結合部１４０と締結される下側結合部３４０が提供され得、ベビーキャリア１００の補助締結部１３２と締結される補助締結部３１２を更に含むことができる。ベビーラップ３００の上側結合部３２０、下側結合部３４０及び補助締結部３１２は、それぞれベビーキャリア１００の上側結合部１２０、下側結合部１４０及び補助締結部１３２に対応する位置に提供され得る。
【００３４】
第２支持部材３１０の下部には、第２支持部材３１０の両側面に延びて形成される翼部３１４が形成され得る。翼部３１４は、乳児が着用者に抱かれたとき、乳児の両脚の間に位置するように形成され得、乳児の両脚が所定幅だけ開かれるようにする機能を行える。
【００３５】
ベビーラップ３００の上側結合部３２０は、ベビーキャリア１００の上側結合部１２０のジッパテープ１２２と締結されるジッパテープ３２２を含むことができ、ジッパを閉めたり、開けたりするためのスライダを含むことができるが、スライダがベビーキャリア１００側に提供されることも可能である。また、ベビーラップ３００の下側結合部３４０もベビーキャリア１００の下側結合部１４０のジッパテープ１４２と締結されるジッパテープ３４２を含むことができる。
【００３６】
本実施形態では、ベビーキャリア１００とベビーラップ３００が上側及び下側結合部に提供されるジッパにより締結される場合を例に挙げて説明するが、本考案はこれに限定されるものではなく、ジッパ以外に他の一般の締結手段、例えば、ボタン方式により締結されることも可能である。
【００３７】
ベビーラップ３００の下側結合部３４０は、ベビーキャリア１００の締結ベルト１４４が通過する締結リング３４４を更に含むことができる。また、ベビーラップ３００の下側結合部３４０が提供される面に補助締結部３１２が提供され得る。
【００３８】
このように、ベビーキャリア１００とベビーラップ３００に提供される上側及び下側結合部と補助締結部によりベビーキャリア１００とベビーラップ３００が結合され得るので、ベビーキャリア１００とベビーラップ３００を容易に着脱可能であり、結合させた際にも、ベビーキャリア１００とベビーラップ３００が互いに堅固に結合され得るという効果が達成され得る。
【００３９】
一方、骨盤ベルト３３０は、左側に延びて形成される左側骨盤ベルト３３２と右側に延びて形成される右側骨盤ベルト３３４とを含む。骨盤ベルト３３０は、乳児が着用者におんぶされた状態で着用者の骨盤又は腰部分の左側骨盤ベルト３３２と右側骨盤ベルト３３４を互いに密着させる骨盤紐３３６を含むことができる。
【００４０】
左側骨盤ベルト３３２には、連結バックル３３１が提供され得、右側骨盤ベルト３３４には、締結バックル３３３が提供され得、着用者がベビーキャリア１００とベビーラップ３００を着用した後、連結バックル３３１と締結バックル３３３を互いに締結することによって、乳児を安定的に抱っこすることができる。
【００４１】
以下では、前記のような構成を有するヒップシートキャリアセットの作用及び効果について図１〜図５を参照して説明する。
【００４２】
本考案の一実施形態によるヒップシートキャリアセットは、図１に示すように、ベビーキャリア１００、ヒップシート２００及びベビーラップ３００の計３つの構成品で構成され得、状況に応じてベビーキャリア１００にヒップシート２００を結合して使用してもよく、ベビーラップ３００を結合して使用してもよい。
【００４３】
まず、ベビーキャリア１００にヒップシート２００を結合して使用する場合、ベビーキャリア１００の下側結合部１４０のジッパテープ１４２をヒップシート２００のジッパテープ２１２に締結した後、スライダを押してジッパを用いて結合できる。ベビーキャリア１００の下側結合部１４０とヒップシート２００を、ジッパを用いて結合させた後、ベビーキャリア１００の締結ベルト１４４をヒップシート２００の締結リング２１４に挿入した後に締結ベルト１４４を折り畳んでベルクロを用いて接着することで、締結リング２１４と締結ベルト１４４を結合させることができる。このように、ジッパ及び締結ベルト１４４を用いてベビーキャリア１００とヒップシート２００を容易に結合して使用できる。
【００４４】
本実施形態では、ベビーキャリア１００とヒップシート２００をジッパを用いて結合する場合を例に挙げて説明したが、本考案はこれに限定されるものではなく、着用者が容易に着脱できる締結手段であれば、ジッパの代わりに何れも採用可能である。
【００４５】
ベビーキャリア１００とヒップシート２００を締結した後、ベビーキャリア１００の肩ベルト１３０を着用者の肩にかけた後、ヒップシート２００の連結バックル２３２と締結バックル２２２を互いに締結させてヒップシート２００の左側腰ベルト２３０と右側腰ベルト２２０を、着用者の腰を巻いた状態で互いに結合させることで、着用者の腰に腰ベルト２２０、２３０を密着させることができる。
【００４６】
この状態で乳児をヒップシート２００のシート部材２１０に座らせることで、着用者が乳児を容易に抱っこすることができる。また、乳児を抱っこした状態で腰紐２３１の長さを適切に調節することで、乳児を安定的に抱っこすることができる。このとき、乳児の胸部分がベビーキャリア１００の第１支持部材１１０に密着する姿勢で着用者に抱かれることができる。
【００４７】
図３を参照すると、乳児が抱かれたとき、乳児の両脚がヒップシート２００の幅ｂにより開かれることができる。ここで、ヒップシート２００の幅ｂは、ヒップシート２００のシート部材２１０の最も広い幅で定義され得る。また、第１支持部材１１０の下部幅ａは、ベビーキャリア１００の下側結合部１４０が提供される下側端部の幅で定義され得、第１支持部材１１０の下部幅ａがヒップシート２００の幅ｂよりも狭く提供され得る。これにより、乳児の両脚がベビーキャリア１００の両側に容易に抜けられるようになり、乳児が安定した姿勢で抱かれることができる。
【００４８】
このように、ヒップシート２００とベビーキャリア１００を結合して着用者が乳児を抱っこした場合、乳児の体重がヒップシート２００のシート部材２１０に集中し、シート部材２１０に集中する荷重が肩ベルト１３０及び腰ベルト２２０、２３０に分散されることによって、着用者の肩及び腰に乳児の体重が分散され、これにより着用者が大きな力を使ったり、着用者の身体に負担をかけなくても乳児を簡単におんぶできるという効果がある。
【００４９】
しかし、乳児の成長に伴い、乳児の体重が増える場合には、ヒップシート２００を使用しても着用者の肩に過度な荷重が加わるおそれがあるが、このように乳児の体重が重い場合には、ベビーキャリア１００にベビーラップ３００を結合して使用することで、乳児の体重による荷重が着用者の肩に過度に偏らないこともできる。
【００５０】
具体的に、ベビーキャリア１００とベビーラップ３００を結合して使用する場合、ベビーキャリア１００の上側結合部１２０とベビーラップ３００の上側結合部３２０を結合できる。このとき、ベビーキャリア１００の上側結合部１２０のジッパテープ１２２とベビーラップ３００の上側結合部３２０のジッパテープ３２２を互いに結合することで、ベビーキャリア１００の上側結合部１２０とベビーラップ３００の上側結合部３２０を互いに結合させることができる。
【００５１】
また、ベビーキャリア１００の下側結合部１４０とベビーラップ３００の下側結合部３４０も同様の方法でジッパによって結合してベビーキャリア１００とベビーラップ３００を上下側で互いに結合させることができる。更に、ベビーキャリア１００の下側結合部１４０の締結ベルト１４４をベビーラップ３００の下側結合部３４０の締結リング３４４に挿入した後、締結ベルト１４４を折り畳んでベルクロを用いて接着することで、締結リング３４４と締結ベルト１４４を締結させることができる。このように、ジッパ及び締結ベルト１４４を用いてベビーキャリア１００とベビーラップ３００を容易に結合して使用できる。
【００５２】
また、ベビーキャリア１００の補助締結部１３２とベビーラップ３００の補助締結部３１２を互いに締結することで、ベビーキャリア１００とベビーラップ３００の上下側だけでなく、側面に対しても締結でき、これによりベビーキャリア１００とベビーラップ３００が互いに１つのユニットのように堅固に安定して結合されている状態で用いることができる。
【００５３】
このように結合されているベビーキャリア１００とベビーラップ３００を用いて乳児を抱っこする方法を説明すると、ベビーキャリア１００の肩ベルト１３０を着用者の肩にかけた後、ベビーラップ３００の骨盤ベルト３３０を着用者の骨盤又は腰に巻いた状態で締結バックル３３３と連結バックル３３１を互いに締結して左側骨盤ベルト３３２と右側骨盤ベルト３３４を巻いた状態で互いに結合させることができる。
【００５４】
このように、着用者の身体にベビーキャリア１００とベビーラップ３００を着用させた後、乳児をベビーラップ３００の第２支持部材３１０と着用者の胸の間の空間に位置させ、乳児のお尻が第２支持部材３１０の中央部分に位置するようにすることで、乳児を容易に抱っこすることができる。このとき、乳児の胸部分が第２支持部材３１０の上部に位置するように乳児の姿勢が設定され得、乳児の両脚が翼部３１４により開かれることができる。
【００５５】
ここで、図５を参照すると、ベビーラップ３００の翼部３１４は、下部幅ｃがベビーキャリア１００の下部幅ａよりも広く形成され得る。また、翼部３１４の下部幅ｃがヒップシート２００の幅ｂよりも広く提供され得る。このように、ベビーラップ３００の翼部３１４の下部幅ｃがヒップシート２００の幅ｂよりも広く提供されることで、ヒップシート２００を用いて乳児を抱っこした場合よりもベビーラップ３００を用いて乳児を抱っこした場合に、乳児の両脚が更に広く開かれることができる。
【００５６】
このように、乳児の体重が重くてヒップシート２００を用いて着用者の肩に過度に無理がかかる場合には、ヒップシート２００の代わりに、ベビーラップ３００をベビーキャリア１００に結合して使用することで、乳児の両脚がヒップシート２００を用いる場合よりも更に広く開かれるようになるので、乳児の体重による荷重がヒップシート２００を用いる場合よりも更に均等に分散されるようになるという効果がある。これにより、乳児の体重が重い場合には、ヒップシート２００の代わりに、ベビーラップ３００を用いることによって、着用者の肩にかかる負担を軽減できる。
【００５７】
前述したように、本考案の一実施形態によれば、状況に応じて使用モードを容易に変更しながら使用できるので、状況に応じて流動的に便利に乳児をおんぶしたり、抱っこしたりすることができるという効果がある。
【００５８】
以上、本考案を好適な実施形態を用いて説明したが、本考案の権利範囲は説明された特定の実施形態に限定されるものではなく、当該技術分野における通常の知識を有する者であれば、本考案の範囲内でいくらでも構成要素の置換と変更が可能であるため、これも本考案の権利に属する。
【図１】
0003210531.tif 000003
【図２】
0003210531.tif 000004
【図３】
0003210531.tif 000005
【図４】
0003210531.tif 000006
【図５】
0003210531.tif 000007
【手続補正書】
【提出日】平成29年1月6日(2017.1.6)
【手続補正１】
【補正対象書類名】明細書
【補正対象項目名】００２４
【補正方法】変更
【補正の内容】
【００２４】
下側結合部１４０は、ベビーキャリア１００がヒップシート２００と締結されるためのジッパ部を構成するジッパテープ１４２を含むことができる。本実施形態では、下側結合部１４０とヒップシート２００がジッパによって互いに締結される場合を例に挙げて説明するが、本考案はこれに限定されるものではなく、ベビーキャリア１００の下側結合部１４０とヒップシート２００は、ジッパ以外の他の締結手段、例えば、ボタン方式により締結されることも可能である。また、下側結合部１４０は、ヒップシート２００と結合されるとき、補助的にベビーキャリア１００とヒップシート２００を連結する締結ベルト１４４を含むことができる。締結ベルト１４４は面ファスナーを含むことができ、折り畳まれているとき、面ファスナーにより折り畳まれた状態を維持するように構成され得る。
【手続補正２】
【補正対象書類名】明細書
【補正対象項目名】００２７
【補正方法】変更
【補正の内容】
【００２７】
本実施形態では、左側腰ベルト２３０に腰紐２３１が連結される場合を例に挙げて説明するが、本考案はこれに限定されるものではなく、腰紐２３１が右側腰ベルト２２０に提供されることも可能であり、腰紐２３１が含まれず、左側腰ベルト２３０と右側腰ベルト２２０が互いに面ファスナーなどにより接着されるように提供されることも可能である。
【手続補正３】
【補正対象書類名】明細書
【補正対象項目名】００４３
【補正方法】変更
【補正の内容】
【００４３】
まず、ベビーキャリア１００にヒップシート２００を結合して使用する場合、ベビーキャリア１００の下側結合部１４０のジッパテープ１４２をヒップシート２００のジッパテープ２１２に締結した後、スライダを押してジッパを用いて結合できる。ベビーキャリア１００の下側結合部１４０とヒップシート２００を、ジッパを用いて結合させた後、ベビーキャリア１００の締結ベルト１４４をヒップシート２００の締結リング２１４に挿入した後に締結ベルト１４４を折り畳んで面ファスナーを用いて接着することで、締結リング２１４と締結ベルト１４４を結合させることができる。このように、ジッパ及び締結ベルト１４４を用いてベビーキャリア１００とヒップシート２００を容易に結合して使用できる。
【手続補正４】
【補正対象書類名】明細書
【補正対象項目名】００５１
【補正方法】変更
【補正の内容】
【００５１】
また、ベビーキャリア１００の下側結合部１４０とベビーラップ３００の下側結合部３４０も同様の方法でジッパによって結合してベビーキャリア１００とベビーラップ３００を上下側で互いに結合させることができる。更に、ベビーキャリア１００の下側結合部１４０の締結ベルト１４４をベビーラップ３００の下側結合部３４０の締結リング３４４に挿入した後、締結ベルト１４４を折り畳んで面ファスナーを用いて接着することで、締結リング３４４と締結ベルト１４４を締結させることができる。このように、ジッパ及び締結ベルト１４４を用いてベビーキャリア１００とベビーラップ３００を容易に結合して使用できる。
【手続補正５】
【補正対象書類名】実用新案登録請求の範囲
【補正対象項目名】全文
【補正方法】変更
【補正の内容】
【実用新案登録請求の範囲】
【請求項１】
着用者が乳児を抱っこするとき、乳児の身体を支持できる第１支持部材と着用者の肩に堅着される肩ベルトを含むベビーキャリアと、
前記ベビーキャリアに分離可能に結合され、着用者の腰を巻いたまま固定される腰ベルトを含み、乳児のお尻が安着するヒップシートと、
前記ベビーキャリアに分離可能に結合され、乳児の身体を支えることができる第２支持部材と前記第２支持部材の下側に連結され、乳児のお尻を支えるように着用者の身体を巻いて着用される骨盤ベルトを含むベビーラップを備え、
使用モードによって前記ヒップシート又は前記ベビーラップが前記ベビーキャリアに結合されている状態で着用者の身体に着用されて乳児を支持するヒップシートキャリアセット。
【請求項２】
前記ベビーキャリアと前記ベビーラップが分離可能に結合されるとき、前記第２支持部材が第１支持部材と重なることを特徴とする請求項１に記載のヒップシートキャリアセット。
【請求項３】
前記ベビーラップは、乳児の脚が開かれることができるように前記第１支持部材の下部幅及び前記ヒップシートの幅よりも更に広い下部幅を有する翼部を更に含むことを特徴とする請求項１に記載のヒップシートキャリアセット。
【請求項４】
前記ベビーキャリアは、
上側で前記ベビーラップと結合される上側結合部と、
下側で前記ヒップシート又は前記ベビーラップと結合される下側結合部と
を含むことを特徴とする請求項１に記載のヒップシートキャリアセット。
【請求項５】
前記上側結合部は、前記ベビーラップとジッパにより結合され、
前記下側結合部は、前記ベビーラップ又は前記ヒップシートとジッパにより結合されることを特徴とする請求項４に記載のヒップシートキャリアセット。
【請求項６】
前記ベビーキャリアは、前記ベビーラップと締結される補助締結部を更に含むことを特徴とする請求項４に記載のヒップシートキャリアセット。
【請求項７】
前記補助締結部は、ボタンで構成されたことを特徴とする請求項６に記載のヒップシートキャリアセット。
【請求項８】
前記下側結合部は、前記ヒップシート又は前記ベビーラップと前記ベビーキャリアを連結する締結ベルトを更に含み、
前記ヒップシート及び前記ベビーラップは、前記締結ベルトに対応する位置に前記締結ベルトが挿入されて連結される締結リングを含むことを特徴とする請求項４に記載のヒップシートキャリアセット。
【請求項９】
前記締結ベルトには、面ファスナーが提供されることを特徴とする請求項８に記載のヒップシートキャリアセット。
【請求項１０】
前記ヒップシートは、乳児のお尻が安着するシート部材を更に含み、
前記腰ベルトは前記シート部材の両側に延びるように提供されることを特徴とする請求項１に記載のヒップシートキャリアセット。